(57)【要約】【課題】Ｓ／Ｗ処理にて機能している終端部（ＣＰＵ）の性能を補い、ＡＴＭ部の機能を効率的に使用することを目的とする。【解決手段】呼制御他の目的でＡＴＭ信号を終端する装置で、（Ｓ／Ｗ処理を含んだ）ＣＰＵの機能に対して高性能・高容量の終端性能が要求される時は、Ｈ／Ｗ処理にて機能しているＡＴＭ部の性能に対して、一般的に、装置内の回線使用率も低くなるという欠点があり、効率的に回線を使用する必要があった。スイッチ部１９と信号終端部３０〜３２間に、速度変換部２９を挿入しスイッチ部１９の性能をフルに活用する。Ｈ／Ｗ処理にて機能しているスイッチ部１９の性能に対して、Ｓ／Ｗ処理にて機能している信号終端部（ＣＰＵ）の性能が大きく劣る場合でも、速度変換部２９にて性能差異が吸収可能となる。【選択図】        図１
2004194216.tif 000002
【特許請求の範囲】
【請求項１】
伝送路を通じて端末に接続され、端末によって発せられた呼信号を終端する伝送路終端部と、
上記伝送路終端部が終端した呼信号を複数の信号に分離して送信することによって呼信号の伝送速度を変換する速度変換部と、
上記速度変換部が分離して送信した複数の信号を終端する信号終端部とを備える集線装置。
【請求項２】
上記伝送路終端部を複数備え、
上記複数の伝送路終端部は、伝送路を通じて複数の端末に接続され、
上記集線装置は、さらに、
上記複数の伝送路終端部が終端した複数の呼信号を多重化する多重化部を備え、
上記速度変換部は、上記多重化部によって多重化された複数の呼信号の各呼信号を複数の信号に分離することによって複数の呼信号の伝送速度を変換する請求項１に記載された集線装置。
【請求項３】
上記信号終端部は、複数の端末を制御する制御情報を含む制御信号を生成し、生成した制御信号を出力し、
上記速度変換部は、上記信号終端部によって出力された制御信号を多重化することによって制御信号の伝送速度を変換し、
上記多重化部は、上記速度変換部によって伝送速度を変換された制御信号を複数の信号に分離し、
上記集約装置は、さらに、
上記多重化部によって分離された複数の信号の各信号を出力する出力先の伝送路終端部を上記複数の伝送路終端部のいずれかに切り替えるスイッチ部を備え、
上記各伝送路終端部は、上記スイッチ部によって切り替えられ、出力された各信号を入力し、入力した各信号を接続された端末に送信する請求項２に記載された集線装置。
【請求項４】
上記集線装置は、さらに、
上記速度変換部によって分離された信号を一時記憶するバッファと、
上記バッファに一時記憶された信号を上記信号終端部へ送信する制御を行うバッファ制御部とを備えた請求項１に記載された集線装置。
【請求項５】
上記集線装置は、上記終端部を複数備え、
上記複数の終端部は、さらに、
上記速度変換部から送信された信号を終端し、終端した信号を仮想パス（ＶＰＩ）／仮想チャネル（ＶＣＩ）フィルタによって自らに送信された信号であるかを判断する請求項１に記載された集線装置。
【請求項６】
伝送路を通じて端末に接続され、端末によって発せられた呼信号を終端し、
上記終端した呼信号を複数の信号に分離して送信することによって呼信号の伝送速度を変換し、
上記分離して送信した複数の信号を終端する集線方法。
【発明の詳細な説明】
【０００１】
【発明の属する技術分野】
本発明は、信号を終端する集線装置および方法に係わるものである。
【０００２】
【従来の技術】
呼制御他の目的でＡＴＭ信号を終端する装置で、（Ｓ／Ｗ処理を含んだ）ＣＰＵの機能に対して高性能・高容量の終端性能が要求される場合、Ｈ／Ｗ処理にて機能しているスイッチ部の性能に対して、Ｓ／Ｗ処理にて機能しているＡＴＭ終端部（ＣＰＵ部）の性能が大きく劣る場合は、スイッチ部の機能が効率的に使用されなく、装置内の回線使用効率も低くなるという欠点があった。
【０００３】
従来例におけるＡＴＭ終端回路の構成について説明する。
公開特許公報  特開平１０−６５６７０「ＡＴＭ集線装置」によると、従来のＡＴＭインチャネル（シグナリング）終端回路は、ＡＴＭスイッチとＡＴＭ終端回路を持つ。
【０００４】
伝送路終端回路とＡＴＭスイッチとＡＴＭ終端回路とを備え、ＡＴＭ交換機または加入端末で発生する呼に応じてＡＴＭ交換機との間または加入端末との間に接続仮想チャネルを確立する手順であるシグナリングを実行するための情報が、ＡＴＭスイッチおよびＡＴＭ終端回路を用いて伝送路終端回路を介して伝送される。このとき、伝送路終端回路が、ＡＴＭ交換機に収容される第１の物理的伝送路を終端し、伝送路終端回路が、物理的伝送路を介して加入端末に接続されて加入者情報を多重・分離するＡＴＭ多重装置にそれぞれ収容される物理的伝送路を終端する（例えば、特許文献１参照）。
【０００５】
【特許文献１】
特開平１０−６５６７０号公報
【０００６】
【発明が解決しようとする課題】
上記従来のＡＴＭ終端回路のＡＴＭスイッチ内の接続仮想チャネルの伝送速度は、伝送路終端部とＡＴＭ終端回路の間で決定する。伝送路終端部とＡＴＭ終端回路のどちらかの作業負荷が高い場合は、負荷の軽い回路の伝送速度を落とすなどして伝送する必要があるため、効率的に伝送することができなかった。
【０００７】
この発明の目的は、従来技術のＡＴＭスイッチとＡＴＭ終端回路間に、速度変換部を挿入しＡＴＭ装置の性能をフルに活用することにある。
Ｈ／Ｗ処理にて機能しているＡＴＭ部の性能に対して、Ｓ／Ｗ処理にて機能している終端部（ＣＰＵ）の性能が大きく劣る場合でも、速度変換部にて性能差異が吸収可能となる。
【０００８】
【課題を解決するための手段】
この発明に係る集線装置は、伝送路を通じて端末に接続され、端末によって発せられた呼信号を終端する伝送路終端部と、
上記伝送路終端部が終端した呼信号を複数の信号に分離して送信することによって呼信号の伝送速度を変換する速度変換部と、
上記速度変換部が分離して送信した複数の信号を終端する信号終端部とを備える。
【０００９】
【発明の実施の形態】
以下に、高速部（例えばＡＴＭ１５５Ｍｂｐｓ）と低速度（終端側）との変換機能と各ＡＴＭ終端回路への多重分離機能を持つ速度変換部を備えるＡＴＭ集積装置について説明する。
実施の形態１．
以下、実施の形態１について説明する。
以下、この発明の実施の一形態を説明する。
図１はこの発明の実施の形態１によるＡＴＭ集線装置２の構成を示す図である。
ＡＴＭ集線装置２は、集線装置の一例であり、集線装置はＡＴＭ（ＡＳＹＮＣＨＲＯＮＯＵＳ  ＴＲＡＮＳＦＥＲ  ＭＯＤＥ）の通信方式による各端末からの信号を集線する場合だけでなく、他の通信方式を持つ信号を集線することも可能である。
図において、ＡＴＭ集線装置２は、伝送路終端部１６〜１８とスイッチ部１９と多重化部２８と速度変換部２９と信号終端部３０〜３２とから構成される。３３は物理伝送路であるが物理的数量および使用帯域は物理伝送路９・１０・１１の合計より少ない。
ＡＴＭ交換機１または加入端末５、６で発生する呼信号に応じてＡＴＭ交換機１との間または加入端末５、６との間に接続仮想チャネルを確立する手順であるシグナリングを実行するための情報が、スイッチ部１９と多重化部２８と速度変換部２９と信号終端部３０〜３２を用いて、伝送路終端部１６〜１８を介して伝送される。このとき、伝送路終端部１６が、ＡＴＭ交換機１に収容される第１の物理伝送路９を終端し、伝送路終端部１７、１８が、物理伝送路１２、１３を介して加入端末５、６に接続されて加入者情報を多重・分離するＡＴＭ多重装置３，４にそれぞれ収容される物理伝送路１０、１１を終端する。
【００１０】
次に例えば、信号終端部３０がＡＴＭ多重装置３を、信号終端部３１がＡＴＭ多重装置４を、信号終端部３２がＡＴＭ交換機１を制御する動作を例に取って説明する。
【００１１】
信号終端部３０はＣＰＵ（Ｓ／Ｗ処理）とＳＡＲ（ＡＴＭセル分割および組立て）回路を持ちＡＴＭ多重装置３に対するＣＰＵからの制御データを例えばＰＣＩ−ｂｕｓなどのインタフェースによってＳＡＲ回路に伝送する。そのデータをＳＡＲ回路でＡＴＭセル変換（例えばＡＡＬ５化）する。ＡＴＭセル変換されたデータは、物理伝送路３３（例えば１５５Ｍｂｐｓ）よりも低い伝送速度（例えば３０Ｍｂｐｓ）にて速度変換部２９に伝送される。
信号終端部３１や信号終端部３２も信号終端部３０と同様の動作によってＣＰＵの制御データを速度変換部２９に伝送する。
信号終端部３０〜３２から伝送された制御データを、速度変換部２９にて多重して物理伝送路３３（例えば１５５Ｍｂｐｓ）の速度に変換し多重化部２８に伝送する。
多重化部２８からスイッチ部１９にＡＴＭセルを伝送しスイッチ部１９にてＡＴＭ交換機１・ＡＴＭ多重装置３・４に信号終端部３０〜３２のデータを振り分ける。
信号終端部３０の制御データは伝送路終端部１７を経由してＡＴＭ多重装置３に伝送される。また、信号終端部３１の制御データは伝送路終端部１８を経由してＡＴＭ多重装置４に伝送される。また同様に、信号終端部３２の制御データは伝送路終端部１６を経由してＡＴＭ交換機１に伝送される。
【００１２】
信号終端部３０〜３２からの制御データに対するＡＴＭ多重装置３、４やＡＴＭ交換機１からの応答データは上記の逆の動作となる。
【００１３】
この様にして各信号終端部からＡＴＭ多重装置３、４やＡＴＭ交換機１に制御データを伝送することが可能である。
【００１４】
以上のように、ＡＴＭ集線装置２は、高速部（例えばＡＴＭ１５５Ｍｂｐｓ）から低速度（終端側）変換機能と各信号終端部への多重分離機能を持つ速度変換部２９を有し、また、多重化部２８が、呼制御などに使用する信号を多重分離して信号終端部３０〜３２へ伝送することによって、信号終端部３０〜３２への物理伝送路３３の物理的数量および使用帯域を加入端末や交換機との物理伝送路９〜１１の合計より少なくすることができる。
【００１５】
このように、集線装置の一例であるＡＴＭ集線装置２の伝送路終端部１６〜１８が、物理伝送路９〜１１などの伝送路を通じてＡＴＭ交換機１やＡＴＭ多重装置３、４及びＡＴＭ多重装置３、４を経由して加入端末５、６に接続され、これらＡＴＭ交換機１、またはＡＴＭ多重装置３、４または加入端末５、６などの端末によって発せられた呼信号を終端し、速度変換部２９が伝送路終端部１６〜１８が終端した呼信号を複数の信号に分離して送信することによって呼信号の伝送速度を変換し、信号終端部３０〜３２が、速度変換部２９が分離して送信した複数の信号を終端する。このようにして速度変換部２９を用いることによって、ＡＴＭ集線装置２中でＨ／Ｗ処理にて機能している部の性能に対して、Ｓ／Ｗ処理にて機能している各信号終端部（各ＣＰＵ）の性能が大きく劣る場合でも、性能差異が吸収可能である。
。
【００１６】
また、ＡＴＭ集線装置２の複数の伝送路終端部１６〜１８が、物理伝送路９〜１１を通じてＡＴＭ交換機１など複数の端末に接続され、多重化部２８が複数の伝送路終端部１６〜１８が終端した複数の呼信号を多重化し、速度変換部２９が、多重化部２８によって多重化された複数の呼信号の各呼信号を複数の信号に分離することによって複数の呼信号の伝送速度を変換する。
【００１７】
また、信号終端部３０〜３２は、ＡＴＭ交換機１など複数の端末を制御する制御情報を含む制御信号（制御データ）を生成し、生成した制御信号を出力し、速度変換部２９は、信号終端部３０〜３２によって出力された制御信号を多重化することによって制御信号の伝送速度を変換し、多重化部２８は、速度変換部２９によって伝送速度を変換された制御信号を複数の信号に分離する。また、スイッチ部１９は、多重化部２８によって分離された複数の信号の各信号を出力する出力先の伝送路終端部を上記複数の伝送路終端部１６〜１８のいずれかに切り替え、各伝送路終端部は、上記スイッチ部１９によって切り替えられ、出力された各信号を入力し、入力した各信号を接続された端末に送信する。
このように多重化部２８を持つことによって、各信号終端部３０〜３２との伝送信号を多重分離して伝送することが可能となり、各信号終端部３０〜３２への物理伝送路の物理的数量および使用帯域は加入端末５、６やＡＴＭ交換機１との物理伝送路の合計より少なくすることができる。
【００１８】
実施の形態２．
図２はこの発明の実施の形態２によるＡＴＭ集線装置２の構成を示す図である。図２において、図１と同一の構成要素については同一の参照番号を付す。３４〜３６は信号終端部３０〜３２とのＡＴＭセル送受信用のバッファ、３７〜３９はバッファ３４〜３６を制御するバッファ制御部、４０は速度変換部２９の中にある多重化部である。
【００１９】
次に、多重化部４０から信号終端部３０へのデータ送信の動作を例に取って説明する。
【００２０】
多重化部４０から信号終端部３０へデータ送信時、信号終端部３０でのＣＰＵ処理に時間がかかっている場合はＣＰＵ処理が追いつかず多重化部４０からの送信データが受信できない可能性がある。
このような受信漏れを避けるために、多重化部４０からのデータをバッファ３４に一旦蓄積し、信号終端部３０からのＣＰＵ処理輻輳状態通知にしたがって、バッファ制御部３７がバッファ３４のデータ送信を制御する。
【００２１】
この制御によって信号終端部３０が輻輳時はバッファ３４にデータを蓄積し、輻輳でない時はバッファ３４からのデータ送信を許可する。
そのため信号終端部３０が輻輳時でもデータを蓄積して消失することがなくなる。信号終端部３１・３２も同様の動作である。
【００２２】
このように、本実施の形態のＡＴＭ集線装置２では、実施の形態１の装置に、さらに、速度変換部２９によって分離された信号を一時記憶するバッファ３４〜３６と、バッファ３４〜３６に一時記憶された信号を信号終端部３０〜３２へ、各々送信する制御を行うバッファ制御部３７〜３９とを備えたので、速度変換部２９と信号終端部３０〜３２との伝送データを記憶するバッファ３４〜３６を用いて、バッファ制御部３７〜３９によって信号終端部輻輳時でもバッファ３４〜３６に一時、データを蓄積して消失しないようにバッファを制御することができる。
【００２３】
実施の形態３．
本実施の形態では、信号終端部３０〜３２が、図３に示すように各々ＶＰＩ／ＶＣＩフィルタ３００（仮想パス（ＶＰＩ）／仮想チャネル（ＶＣＩ）フィルタ）、３１０、３２０を有しているＡＴＭ集線装置２について説明する。
ここで、ＶＰＩ（ＶＩＲＴＵＡＬ  ＰＡＴＨ  ＩＤＥＮＴＩＦＩＥＲ）とは、ＡＴＭネットワークにおいて、個々の仮想パス（ＶＰ）を区別するための識別番号である。また、ＶＣＩ（ＶＩＲＴＵＡＬ  ＣＨＡＮＮＥＬ  ＩＤＥＮＴＩＦＩＥＲ）ＡＴＭネットワークにおいて、個々の仮想チャネル（ＶＣ）を区別するための識別番号である。
図４は、ＡＴＭセルの構成図を示す。ＡＴＭセル５０のヘッダ５１に仮想パス識別番号（ＶＰＩ）と仮想チャネル識別番号（ＶＣＩ）とが含まれる。
【００２４】
速度変換部２９から信号終端部３０〜３２に上位網からの全てのデータが送信され、信号終端部３０〜３２が持っている各ＶＰＩ／ＶＣＩフィルタ３００〜３２０の機能によって信号終端部３０〜３２自身が、ＡＴＭセル５０のヘッダ５１に含まれる仮想パス識別番号（ＶＰＩ）と仮想チャネル識別番号（ＶＣＩ）に基づいてデータの振り分けを行う。
【００２５】
このように本実施の形態のＡＴＭ集線装置２では、信号終端部３０〜３２が、仮想パス（ＶＰＩ）／仮想チャネル（ＶＣＩ）フィルタ機能を具備し、速度変換部２９から送信された信号を終端し、終端した信号をＶＰＩ／ＶＣＩフィルタによって自らに送信された信号であるかを判断することができる。そのため目的に応じた各信号終端部が持つＣＰＵへの終端が可能となる。
【００２６】
上記すべての実施の形態において、信号終端部はいくらでも増設でき、ＣＰＵでのＳ／Ｗ処理能力に応じた装置構成が可能である。
【００２７】
【発明の効果】
この発明によれば、従来技術のＡＴＭスイッチとＡＴＭ終端回路間に、速度変換部を挿入しＡＴＭ装置の性能をフルに活用できる。Ｈ／Ｗ処理にて機能しているＡＴＭ部の性能に対して、Ｓ／Ｗ処理にて機能している終端部（各ＣＰＵ）の性能が大きく劣る場合でも、速度変換部にて性能差異が吸収可能となり回線使用効率が良くなる。
【図面の簡単な説明】
【図１】この発明の実施の形態１による構成を示す図である。
【図２】この発明の実施の形態２による構成を示す図である。
【図３】この発明の実施の形態３による構成を示す図である。
【図４】ＡＴＭセルの構成図である。
【符号の説明】
１  ＡＴＭ交換機、２  ＡＴＭ集線装置、３，４  ＡＴＭ多重装置、５，６  加入端末、９，１０，１１，１２，１３  物理伝送路、１６，１７，１８  伝送路終端部、１９  スイッチ部、２８  多重化部、２９  速度変換部、３０，３１，３２  信号終端部、３３  物理伝送路、３４，３５，３６  バッファ、３７，３８，３９  バッファ制御部、４０  多重化部。
【図１】
2004194216.tif 000003
【図２】
2004194216.tif 000004
【図３】
2004194216.tif 000005
【図４】
2004194216.tif 000006